【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
コード化ビデオピクチャのシーケンスを備えるカプセル化されたビデオデータを出力する方法であって、前記方法は、
前記コード化ビデオピクチャとは別個の１つまたは複数の補足エンハンスメント情報（ＳＥＩ）メッセージを生成することと、ここで、前記ＳＥＩメッセージは、前記コード化ビデオピクチャのシーケンスの各々を記述し、前記コード化ビデオピクチャのうちの２つ以上に共通の要素を含み、
初期化セグメント中に前記ＳＥＩメッセージをカプセル化することと、ここで、前記初期化セグメントは、メディア表現の複数のファイルのうちの第１のファイルを備え、前記初期化セグメント中に前記ＳＥＩメッセージをカプセル化することは、前記第１のファイル中に前記ＳＥＩメッセージをカプセル化することを備え、前記初期化セグメントは、ユニフォームリソースロケータ（ＵＲＬ）に関連し、前記第１のファイルと前記初期化セグメントとは、任意のメディアデータを含まない、
前記第１のファイルとは別個の前記複数のファイルのうちの１つまたは複数のビデオファイル中に前記コード化ビデオピクチャのシーケンスをカプセル化することと、ここで、前記１つまたは複数のビデオファイルのためのＵＲＬは、前記初期化セグメントが関連する前記ＵＲＬとは異なり、
前記１つまたは複数の別個のビデオファイルのいずれかを出力するより前に前記第１のファイルを出力することと、
を備える方法。
【請求項２】
前記ＳＥＩメッセージは、２つ以上のアクセスユニットに適用可能なシーケンスレベルＳＥＩメッセージを備え、前記２つ以上のアクセスユニットは、前記コード化ビデオピクチャのシーケンスを備え、前記１つまたは複数のＳＥＩメッセージを生成することは、前記アクセスユニットから前記シーケンスレベルＳＥＩメッセージを分離することを備える、請求項１に記載の方法。
【請求項３】
前記ＳＥＩメッセージは、Ｈ．２６４／Ａｄｖａｎｃｅｄ  Ｖｉｄｅｏ  Ｃｏｄｉｎｇ（ＡＶＣ）、Ｈ．２６４のＳｃａｌａｂｌｅ  Ｖｉｄｅｏ  Ｃｏｄｉｎｇ（ＳＶＣ）拡張、およびＨ．２６４のＭｕｌｔｉｖｉｅｗ  Ｖｉｄｅｏ  Ｃｏｄｉｎｇ（ＭＶＣ）拡張のうちの少なくとも１つのＳＥＩメッセージタイプとして定義される、請求項１に記載の方法。
【請求項４】
前記ＳＥＩメッセージを含む前記第１のファイルは、パラメータセットトラックのうちの少なくとも一部を備え、前記パラメータセットトラックは、さらに、前記コード化ビデオピクチャのシーケンスのシーケンスパラメータセットデータおよびピクチャパラメータセットデータのうちの少なくとも１つを備える、請求項１に記載の方法。
【請求項５】
前記ＳＥＩメッセージを生成することは、前記ＳＥＩメッセージのうちの少なくとも１つ内に、前記ＳＥＩメッセージに対応する前記コード化ビデオピクチャのシーケンスの持続時間をシグナリングするシグナリング情報を生成することを備える、請求項１に記載の方法。
【請求項６】
前記コード化ビデオピクチャのシーケンスは、コード化ビデオピクチャの第１のシーケンスを備え、前記ＳＥＩメッセージは、ＳＥＩメッセージの第１のセットを備え、前記方法は、
コード化ビデオピクチャの第２のシーケンスとは別個の１つまたは複数のＳＥＩメッセージの第２のセットを生成することと、ここで、前記ＳＥＩメッセージの第２のセットは、前記コード化ビデオピクチャの第２のシーケンスの各々を記述し、前記コード化ビデオピクチャの第２のシーケンスのうちの２つ以上に共通の要素を含み、
前記コード化ビデオピクチャの第２のシーケンスとは別個に前記ＳＥＩメッセージの第２のセットを出力することと、
をさらに備える請求項１に記載の方法。
【請求項７】
出力することは、
前記ＳＥＩメッセージと前記コード化ビデオピクチャのシーケンスとを備えるビデオデータを符号化することと、
ネットワーク上で前記符号化されたビデオデータをストリーミングすることと、
を備える請求項１に記載の方法。
【請求項８】
前記ビデオデータをストリーミングすることは、少なくとも１つの伝送制御プロトコル（ＴＣＰ）接続を介して前記ビデオデータをストリーミングすることを備える、請求項７に記載の方法。
【請求項９】
前記少なくとも１つのＴＣＰ接続はハイパーテキスト転送プロトコル（ＨＴＴＰ）接続を備える、請求項８に記載の方法。
【請求項１０】
生成することは、コーデックレベルのビデオエンコーダによって、前記コード化ビデオピクチャのシーケンスとは別個に前記ＳＥＩメッセージを符号化することを備える、請求項１に記載の方法。
【請求項１１】
前記第１のファイルは、１つまたは複数のシーケンスパラメータセット（ＳＰＳ）、１つまたは複数のピクチャパラメータセット（ＰＰＳ）、および前記第１のファイル中に連続的に配置された前記１つまたは複数のＳＥＩメッセージを備えるシーケンスデータセットを備える、請求項１に記載の方法。
【請求項１２】
前記シーケンスデータセットについてのネットワークストリーミングプロトコルに従って要求を受信することをさらに備え、前記要求は、ＨＴＴＰ  ＧＥＴ要求またはＨＴＴＰパーシャルＧＥＴ要求を備え、前記第１のファイルを出力することは、前記要求に応答して前記第１のファイルを出力することを備える、請求項１１に記載の方法。
【請求項１３】
コード化ビデオピクチャのシーケンスを備えるカプセル化されたビデオデータを出力するための装置であって、前記装置は、
前記コード化ビデオピクチャとは別個の１つまたは複数の補足エンハンスメント情報（ＳＥＩ）メッセージを生成することと、ここで、前記ＳＥＩメッセージは、前記コード化ビデオピクチャのシーケンスの各々を記述し、前記コード化ビデオピクチャのうちの２つ以上に共通の要素を含み、
初期化セグメント中に前記ＳＥＩメッセージをカプセル化することと、ここで、前記初期化セグメントは、メディア表現の複数のファイルのうちの第１のファイルを備え、前記初期化セグメント中に前記ＳＥＩメッセージをカプセル化することは、前記第１のファイル中に前記ＳＥＩメッセージをカプセル化することを備え、前記初期化セグメントは、ユニフォームリソースロケータ（ＵＲＬ）に関連し、前記第１のファイルと前記初期化セグメントとは、任意のメディアデータを含まない、
前記第１のファイルとは別個の前記複数のファイルのうちの１つまたは複数のビデオファイル中に前記コード化ビデオピクチャのシーケンスをカプセル化することと、
を行うように構成された制御ユニットと、ここで、前記１つまたは複数のビデオファイルのためのＵＲＬは、前記初期化セグメントが関連する前記ＵＲＬとは異なり、
前記１つまたは複数の別個のビデオファイルのいずれかを出力するより前に前記第１のファイルを出力するように構成された出力インターフェースと、
を備える装置。
【請求項１４】
前記ＳＥＩメッセージは、２つ以上のアクセスユニットに適用可能なシーケンスレベルＳＥＩメッセージを備え、前記２つ以上のアクセスユニットは、前記コード化ビデオピクチャのシーケンスを備え、前記制御ユニットは、前記アクセスユニットから前記シーケンスレベルＳＥＩメッセージを分離するように構成される、請求項１３に記載の装置。
【請求項１５】
前記ＳＥＩメッセージを含む前記第１のファイルは、パラメータセットトラックのうちの少なくとも一部を備え、前記パラメータセットトラックは、さらに、前記コード化ビデオピクチャのシーケンスのシーケンスパラメータセットデータおよびピクチャパラメータセットデータのうちの少なくとも１つを備える、請求項１３に記載の装置。
【請求項１６】
前記制御ユニットは、前記ＳＥＩメッセージのうちの少なくとも１つ内に、前記ＳＥＩメッセージに対応する前記コード化ビデオピクチャのシーケンスの持続時間をシグナリングするシグナリング情報を生成するように構成される、請求項１３に記載の装置。
【請求項１７】
前記コード化ビデオピクチャのシーケンスは、コード化ビデオピクチャの第１のシーケンスを備え、前記ＳＥＩメッセージは、ＳＥＩメッセージの第１のセットを備え、
前記制御ユニットは、コード化ビデオピクチャの第２のシーケンスとは別個の１つまたは複数のＳＥＩメッセージの第２のセットを生成するように構成され、前記ＳＥＩメッセージの第２のセットは、前記コード化ビデオピクチャの第２のシーケンスの各々を記述し、前記コード化ビデオピクチャの第２のシーケンスのうちの２つ以上に共通の要素を含み、
前記出力インターフェースは、前記コード化ビデオピクチャの第２のシーケンスとは別個に前記ＳＥＩメッセージの第２のセットを出力するように構成される、請求項１３に記載の装置。
【請求項１８】
前記装置は、
集積回路と、
マイクロプロセッサと、
前記制御ユニットを含むワイヤレス通信デバイスと、のうちの少なくとも１つを備える、請求項１３に記載の装置。
【請求項１９】
前記第１のファイルは、１つまたは複数のシーケンスパラメータセット（ＳＰＳ）、１つまたは複数のピクチャパラメータセット（ＰＰＳ）、および前記第１のファイル中に連続的に配置された前記１つまたは複数のＳＥＩメッセージを備えるシーケンスデータセットを備える、請求項１３に記載の装置。
【請求項２０】
前記制御ユニットは、前記シーケンスデータセットについてのネットワークストリーミングプロトコルに従って要求を受信するようにさらに構成され、前記要求は、ＨＴＴＰ  ＧＥＴ要求またはＨＴＴＰパーシャルＧＥＴ要求を備え、前記制御ユニットは、前記出力インターフェースに、前記要求に応答して前記第１のファイルを出力させるように構成される、請求項１９に記載の装置。
【請求項２１】
コード化ビデオピクチャのシーケンスを備えるカプセル化されたビデオデータを出力するための装置であって、前記装置は、
前記コード化ビデオピクチャとは別個の１つまたは複数の補足エンハンスメント情報（ＳＥＩ）メッセージを生成する手段と、ここで、前記ＳＥＩメッセージは、前記コード化ビデオピクチャのシーケンスの各々を記述し、前記コード化ビデオピクチャのうちの２つ以上に共通の要素を含み、
初期化セグメント中に前記ＳＥＩメッセージをカプセル化する手段と、ここで、前記初期化セグメントは、メディア表現の複数のファイルのうちの第１のファイルを備え、前記初期化セグメント中に前記ＳＥＩメッセージをカプセル化することは、前記第１のファイル中に前記ＳＥＩメッセージをカプセル化することを備え、前記初期化セグメントは、ユニフォームリソースロケータ（ＵＲＬ）に関連し、前記第１のファイルと前記初期化セグメントとは、任意のメディアデータを含まない、
前記第１のファイルとは別個の前記複数のファイルのうちの１つまたは複数のビデオファイル中に前記コード化ビデオピクチャのシーケンスをカプセル化する手段と、ここで、前記１つまたは複数のビデオファイルのためのＵＲＬは、前記初期化セグメントが関連する前記ＵＲＬとは異なり、
前記１つまたは複数の別個のビデオファイルのいずれかを出力するより前に前記第１のファイルを出力する手段と、を備える装置。
【請求項２２】
前記ＳＥＩメッセージは、２つ以上のアクセスユニットに適用可能なシーケンスレベルＳＥＩメッセージを備え、前記２つ以上のアクセスユニットは前記コード化ビデオピクチャのシーケンスを備え、前記１つまたは複数のＳＥＩメッセージを前記生成する手段は、前記アクセスユニットから前記シーケンスレベルＳＥＩメッセージを分離する手段を備える、請求項２１に記載の装置。
【請求項２３】
前記ＳＥＩメッセージを含む前記第１のファイルは、パラメータセットトラックのうちの少なくとも一部を備え、前記パラメータセットトラックは、さらに、前記コード化ビデオピクチャのシーケンスのシーケンスパラメータセットデータおよびピクチャパラメータセットデータのうちの少なくとも１つを備える、請求項２１に記載の装置。
【請求項２４】
前記ＳＥＩメッセージを前記生成する手段は、前記ＳＥＩメッセージのうちの少なくとも１つ内に、前記ＳＥＩメッセージに対応する前記コード化ビデオピクチャのシーケンスの持続時間をシグナリングするシグナリング情報を生成する手段を備える、請求項２１に記載の装置。
【請求項２５】
前記コード化ビデオピクチャのシーケンスは、コード化ビデオピクチャの第１のシーケンスを備え、前記ＳＥＩメッセージは、ＳＥＩメッセージの第１のセットを備え、前記装置は、
コード化ビデオピクチャの第２のシーケンスとは別個の１つまたは複数のＳＥＩメッセージの第２のセットを生成する手段と、ここで、前記ＳＥＩメッセージの第２のセットは、前記コード化ビデオピクチャの第２のシーケンスの各々を記述し、前記コード化ビデオピクチャの第２のシーケンスのうちの２つ以上に共通の要素を含み、
前記コード化ビデオピクチャの第２のシーケンスとは別個に前記ＳＥＩメッセージの第２のセットを出力する手段と、をさらに備える、請求項２１に記載の装置。
【請求項２６】
前記出力する手段は、
前記ＳＥＩメッセージと前記コード化ビデオピクチャのシーケンスとを備えるビデオデータを符号化する手段と、
ネットワーク上で前記符号化されたビデオデータをストリーミングする手段と、を備える、請求項２１に記載の装置。
【請求項２７】
前記第１のファイルは、１つまたは複数のシーケンスパラメータセット（ＳＰＳ）、１つまたは複数のピクチャパラメータセット（ＰＰＳ）、および前記第１のファイル中に連続的に配置された前記１つまたは複数のＳＥＩメッセージを備えるシーケンスデータセットを備える、請求項２１に記載の装置。
【請求項２８】
前記シーケンスデータセットについてのネットワークストリーミングプロトコルに従って要求を受信するための手段をさらに備え、前記要求は、ＨＴＴＰ  ＧＥＴ要求またはＨＴＴＰパーシャルＧＥＴ要求を備え、前記第１のファイルを出力することは、前記要求に応答して前記第１のファイルを出力することを備える、請求項２７に記載の装置。
【請求項２９】
実行されたとき、符号化されたビデオデータを出力するための装置のプロセッサに、
前記コード化ビデオピクチャとは別個の１つまたは複数の補足エンハンスメント情報（ＳＥＩ）メッセージを生成させる命令と、ここで、前記ＳＥＩメッセージは、前記コード化ビデオピクチャのシーケンスの各々を記述し、前記コード化ビデオピクチャのうちの２つ以上に共通の要素を含み、
初期化セグメント中に前記ＳＥＩメッセージをカプセル化させる命令と、ここで、前記初期化セグメントは、メディア表現の複数のファイルのうちの第１のファイルを備え、前記初期化セグメント中に前記ＳＥＩメッセージをカプセル化することは、前記第１のファイル中に前記ＳＥＩメッセージをカプセル化することを備え、前記初期化セグメントは、ユニフォームリソースロケータ（ＵＲＬ）に関連し、前記第１のファイルと前記初期化セグメントとは、任意のメディアデータを含まない、
前記第１のファイルとは別個の前記複数のファイルのうちの１つまたは複数のビデオファイル中に前記コード化ビデオピクチャのシーケンスをカプセル化させる命令と、ここで、前記１つまたは複数のビデオファイルのためのＵＲＬは、前記初期化セグメントが関連する前記ＵＲＬとは異なり、
前記１つまたは複数の別個のビデオファイルのいずれかを出力するより前に前記第１のファイルを出力させる命令と、
が記憶されたコンピュータ可読記憶媒体。
【請求項３０】
前記ＳＥＩメッセージを含む前記第１のファイルは、パラメータセットトラックのうちの少なくとも一部を備え、前記パラメータセットトラックは、さらに、前記コード化ビデオピクチャのシーケンスのシーケンスパラメータセットデータおよびピクチャパラメータセットデータのうちの少なくとも１つを備える、請求項２９に記載のコンピュータ可読記憶媒体。
【請求項３１】
前記ＳＥＩメッセージを生成させる前記命令は、前記ＳＥＩメッセージのうちの少なくとも１つ内に、前記ＳＥＩメッセージに対応する前記コード化ビデオピクチャのシーケンスの持続時間をシグナリングするシグナリング情報を生成させる命令を備える、請求項２９に記載のコンピュータ可読記憶媒体。
【請求項３２】
コード化ビデオピクチャの前記シーケンスは、コード化ビデオピクチャの第１のシーケンスを備え、前記ＳＥＩメッセージは、ＳＥＩメッセージの第１のセットを備え、
コード化ビデオピクチャの第２のシーケンスとは別個の１つまたは複数のＳＥＩメッセージの第２のセットを生成させる命令と、ここで、前記ＳＥＩメッセージの第２のセットは、前記コード化ビデオピクチャの第２のシーケンスの各々を記述し、前記コード化ビデオピクチャの第２のシーケンスのうちの２つ以上に共通の要素を含み、
前記コード化ビデオピクチャの第２のシーケンスとは別個に前記ＳＥＩメッセージの第２のセットを出力させる命令と、をさらに備える、請求項２９に記載のコンピュータ可読記憶媒体。
【請求項３３】
前記第１のファイルは、１つまたは複数のシーケンスパラメータセット（ＳＰＳ）、１つまたは複数のピクチャパラメータセット（ＰＰＳ）、および前記第１のファイル中に連続的に配置された前記１つまたは複数のＳＥＩメッセージを備えるシーケンスデータセットを備える、請求項２９に記載のコンピュータ可読記憶媒体。
【請求項３４】
前記プロセッサに、前記シーケンスデータセットについてのネットワークストリーミングプロトコルによる要求を受信させる命令をさらに備え、前記要求は、ＨＴＴＰ  ＧＥＴ要求またはＨＴＴＰパーシャルＧＥＴ要求を備え、前記プロセッサに、前記第１のファイルを出力させる前記命令は、前記プロセッサに、前記要求に応答して前記第１のファイルを出力させる命令を備える、請求項３３に記載のコンピュータ可読記憶媒体。